【手続補正書】
【提出日】平成19年5月29日(2007.5.29)
【手続補正１】
【補正対象書類名】明細書
【補正対象項目名】特許請求の範囲
【補正方法】変更
【補正の内容】
【特許請求の範囲】
【請求項１】
人間組織に微小削摩処置を施す装置であって、
ハンドル（１）であって、ハンドル（１）内に設けられ、処置すべき表面上に配置されるように意図された開口部（３）と連通する入口通路（２）および出口通路（４）を有するハンドル（１）と、
入口通路（２）に接続された研磨物質（Ｓ）のための供給容器（５）から、ハンドル（１）の開口部（３）へ、空気キャリア内にある研磨物質（Ｓ）を計測して供給するための供給手段（９，２０）とを有し、
液体（Ｌ）を選択的に、かつ制御しながら処置すべき表面上に供給するように構成されたことを特徴とする装置。
【請求項２】
請求項１に記載の装置であって、
ハンドル（１）は、ハンドル（１）の開口部（３）へ液体を供給するための第２の入口通路（１２）を有することを特徴とする装置。
【請求項３】
請求項２に記載の装置であって、
第２の入口通路（１２）は、液体（Ｌ）のための容器（１１）に接続されることを特徴とする装置。
【請求項４】
請求項１ないし３のいずれか１に記載の装置であって、
液体（Ｌ）は、空気キャリア内の研磨物質（Ｓ）と同じ供給手段（９，２０）を介して供給されることを特徴とする装置。
【請求項５】
請求項２ないし４のいずれか１に記載の装置であって、
ハンドル（１）の出口通路（４）に接続された、研磨物質（Ｓ）の収集容器（７）を有し、
第２の入口通路（１２）は、同様に、ハンドル（１）の出口通路（４）を介して収集容器（７）に接続されたことを特徴とする装置。
【請求項６】
請求項５に記載の装置であって、
供給手段は、加圧された研磨物質（Ｓ）および液体（Ｌ）をハンドル（１）の開口部（３）に供給するために、削摩物質（Ｓ）の供給容器（５）および液体（Ｌ）の容器（１１）に並行して接続された加圧空気源（２０）を有することを特徴とする装置。
【請求項７】
請求項６に記載の装置であって、
研磨物質（Ｓ）と液体（Ｌ）を収集容器（７）内に吸引するために、ハンドル（１）の出口通路（４）に接続される真空源（２３）をさらに有することを特徴とする装置。
【請求項８】
請求項４に記載の装置であって、
処置すべき表面に対して開口部（３）を塞いだとき、減圧された研磨物質（Ｓ）を供給容器（５）から入口通路（２）を介してハンドル（１）の開口部（３）へ吸引し、かつ液体（Ｌ）を減圧して容器（１１）から第２の入口通路（１２）を介してハンドル（１）の開口部（３）へ吸引するために、供給手段は、ハンドル（１）の出口通路（４）に接続される真空源（９）をさらに有することを特徴とする装置。
【請求項９】
請求項４に記載の装置であって、
処置すべき表面に対して開口部（３）を塞いだとき、減圧された研磨物質（Ｓ）を供給容器（５）から入口通路（２）を介してハンドル（１）の開口部（３）へ吸引するために、供給手段は、ハンドル（１）の出口通路（４）に接続される真空源（９）をさらに有し、
加圧された液体（Ｌ）を容器（１１）からハンドル（１）の第２の入口通路（１２）に供給するために、真空源（９）は、容器（１１）に接続される空気排出サイドを有することを特徴とする装置。
【請求項１０】
請求項９に記載の装置であって、
ハンドル（１）は、液体（Ｌ）の容器（１１）の上流側にある、真空源（９）の空気排出サイドに接続された第３の入口通路（１６）を有し、
この第３の入口通路（１６）は、バルブ装置（１５）を介して大気と連通していることを特徴とする装置。
【請求項１１】
請求項１０に記載の装置であって、
バルブ装置（１５）は、ハンドル（１）上に設けられた通気孔（１５）により構成され、手動で塞ぐように設計されていることを特徴とする装置。
【請求項１２】
請求項１ないし３のいずれか１に記載の装置であって、
液体（Ｌ）は、空気キャリア内の研磨物質（Ｓ）の供給手段（９，２０）とは独立して供給されることを特徴とする装置。
【請求項１３】
請求項１ないし１２のいずれか１に記載の装置であって、
加熱手段が液体（Ｌ）の容器（１１）に取り付けられていることを特徴とする装置。
【請求項１４】
請求項１ないし１３のいずれか１に記載の装置であって、
冷却手段が液体（Ｌ）の容器（１１）に取り付けられていることを特徴とする装置。
【請求項１５】
請求項１ないし１４の１またはそれ以上に記載の装置であって、
液体（Ｌ）が水であることを特徴とする装置。
【請求項１６】
請求項１ないし１４のいずれか１に記載の装置であって、
液体（Ｌ）は、麻酔薬、止血薬および凝固剤、栄養剤、瘢痕剤、浸食剤、再生剤、活性剤、緩和剤および鎮静剤、加湿剤、潤滑剤、水和剤などの種類から選択される物質の１つまたはそれ以上の混合物からなることを特徴とする装置。
【請求項１７】
請求項１ないし１４のいずれか１に記載の装置であって、
液体（Ｌ）は、ナトリウムおよびその誘導剤などの成分を豊富に含む生理的溶液を有することを特徴とする装置。
【請求項１８】
人間組織に微小削摩処置を施す装置を作動させる方法であって、
この装置は、
ハンドル（１）であって、ハンドル（１）内に設けられ、処置すべき表面上に配置されるように意図された開口部（３）と連通する入口通路（２）および出口通路（４）を有するハンドル（１）と、
入口通路（２）に接続された研磨物質（Ｓ）のための供給容器（５）から、ハンドル（１）の開口部（３）へ、空気キャリア内にある研磨物質（Ｓ）を計測して供給するための供給手段（９，２０）とを有し、
この方法は、
ａ）研磨物質（Ｓ）と液体（Ｌ）が、ともに減圧されて供給される態様、
ｂ）研磨物質（Ｓ）が減圧され、液体（Ｌ）が加圧されて供給される態様、および
ｃ）研磨物質（Ｓ）が加圧され、液体（Ｌ）が減圧されて供給される態様のうちの少なくとも１つの態様で、液体（Ｌ）を選択的に、かつ制御しながらハンドル（１）の開口部（３）へ供給するように構成されたことを特徴とする方法。
【請求項１９】
処置すべき表面上に削摩用の処置フローを供給し、とりわけ人間組織に微小削摩処置を施す装置であって、
空気キャリア内に含まれる研磨物質（Ｓ）を計量して、処置すべき表面に供給するための供給手段を有し、
液体（Ｌ）を選択的に、かつ制御しながら処置すべき表面上に供給する手段を有することを特徴とする装置。
【請求項２０】
請求項１９に記載の装置であって、
液体（Ｌ）自身が排他的に研磨物質の流体キャリアを構成することを特徴とする装置。
【請求項２１】
請求項１９に記載の装置であって、
研磨物質（Ｓ）の流体キャリアが空気式であることを特徴とする方法。
【請求項２２】
請求項２１に記載の装置であって、
液体（Ｌ）を研磨物質（Ｓ）の空気キャリアとともに混合する混合手段（１）を有することを特徴とする方法。
【請求項２３】
請求項２２に記載の装置であって、
液体（Ｌ）が、処置すべき領域の上流側において、研磨物質（Ｓ）の空気キャリアと混合されることを特徴とする装置。
【請求項２４】
請求項２２に記載の装置であって、
液体（Ｌ）が、処置すべき領域に隣接して、研磨物質（Ｓ）の流空気キャリアと混合されることを特徴とする装置。
【請求項２５】
請求項２１に記載の装置であって、
研磨物質（Ｓ）と液体（Ｌ）が、ともに減圧されて供給されることを特徴とする装置。
【請求項２６】
請求項２１に記載の装置であって、
研磨物質（Ｓ）と液体（Ｌ）が、ともに加圧されて供給されることを特徴とする装置。
【請求項２７】
請求項２１に記載の装置であって、
研磨物質（Ｓ）が減圧され、液体（Ｌ）が加圧されて供給されるか、
研磨物質（Ｓ）が加圧され、液体（Ｌ）が減圧されて供給されることを特徴とする装置。
【請求項２８】
請求項２１に記載の装置であって、
液体（Ｌ）を加熱する手段をさらに有することを特徴とする装置。
【請求項２９】
請求項２１に記載の装置であって、
液体（Ｌ）を冷却する手段をさらに有することを特徴とする装置。
【請求項３０】
請求項２１ないし２９のいずれか１に記載の装置であって、
液体（Ｌ）は、本質的に水であることを特徴とする装置。
【請求項３１】
請求項２１ないし２９のいずれか１に記載の装置であって、
液体（Ｌ）は、麻酔薬、止血薬および凝固剤、栄養剤、瘢痕剤、浸食剤、再生剤、活性剤、緩和剤および鎮静剤、加湿剤、潤滑剤、水和剤などの種類から選択される物質の１つまたはそれ以上の混合物からなることを特徴とする方法。
【請求項３２】
請求項２１ないし２９のいずれか１に記載の装置であって、
液体（Ｌ）は、ナトリウムおよびその誘導剤などの成分を豊富に含む生理的溶液を有することを特徴とする装置。
【請求項３３】
請求項２２に記載の装置であって、
液体（Ｌ）を研磨物質（Ｓ）の空気キャリアとともに混合する混合手段（１）が、
ハンドル（１）内に設けられ、処置すべき表面上に配置されるように意図された開口部（３）と連通する入口通路（２）および出口通路（４）を有するハンドル（１）と、
研磨物質（Ｓ）の供給容器（５）からハンドル（１）の入口通路（２）へ空気キャリア内にある研磨物質（Ｓ）を計測して供給し、かつ容器（１１）からハンドル（１）の第２の入口通路を介して開口部（３）へ液体（Ｌ）を供給するために設けられた供給手段（９，２０）とを有することを特徴とする装置。
【請求項３４】
請求項３３に記載の装置であって、
液体（Ｌ）は、空気キャリア内の研磨物質（Ｓ）の供給手段（９，２０）を用いて供給されることを特徴とする装置。